(57)【要約】【課題】風力発電装置等の設備を緊張係留された浮体の台座上に設けた緊張係留浮体において、アンカーの不等沈下による緊張係留索のアンバランスによる台座の傾斜や、季節風や潮流等の変化による長期的な台座の傾斜を容易に復元できる緊張係留浮体の傾斜調整方法及び緊張係留浮体を提供する。【解決手段】一部又は全体が台座となる浮体１２を複数本の緊張係留索１３で水底２に設置されたアンカー１４に係留すると共に、前記緊張係留索１３に張力を作用させて位置固定した緊張係留浮体１の傾斜調整方法において、移動用重錘１５ａ又は浮力体を移動機構１５ｂにより水平方向に関する位置を移動することにより、前記浮体１２の傾斜を調整する。【選択図】図１
2010018129.tif 000002
【特許請求の範囲】
【請求項１】
一部又は全体が台座となる浮体を複数本の緊張係留索で水底に設置されたアンカーに係留すると共に、前記緊張係留索に張力を作用させて位置固定した緊張係留浮体の傾斜調整方法において、重錘又は浮力体を移動機構により水平方向に関する位置を移動することにより、前記浮体の傾斜を調整することを特徴とする緊張係留浮体の傾斜調整方法。
【請求項２】
前記移動機構が単数又は複数の前記重錘又は前記浮力体を前記浮体の中心に関しての放射方向に移動させて前記浮体の傾斜を調整することを特徴とする請求項１に記載の緊張係留浮体の傾斜調整方法。
【請求項３】
前記移動機構が単数又は複数の前記重錘又は前記浮力体を水平方向に関して交差する２方向に移動させて前記浮体の傾斜を調整することを特徴とする請求項１に記載の緊張係留浮体の傾斜調整方法。
【請求項４】
前記移動機構が単数又は複数の前記重錘又は前記浮力体を前記浮体の中心を囲む環状の移動経路を移動させて前記浮体の傾斜を調整することを特徴とする請求項１に記載の緊張係留浮体の傾斜調整方法。
【請求項５】
前記重錘又は前記浮力体の水平方向に関する移動をバラスト水の移動により行うことを特徴とする請求項１に記載の緊張係留浮体の傾斜調整方法。
【請求項６】
前記浮体が前記台座に風力発電装置を搭載することを特徴とする請求項１，２，３，４又は５に記載の緊張係留浮体の傾斜調整方法。
【請求項７】
一部又は全体が台座となる浮体を複数本の緊張係留索で水底に設置されたアンカーに係留すると共に、前記緊張係留索に張力を作用させて位置固定した緊張係留浮体において、重量物又は浮力体を水平方向に関する位置を移動することにより前記浮体の傾斜を調整する移動機構を備えたことを特徴とする緊張係留浮体。
【発明の詳細な説明】
【技術分野】
【０００１】
本発明は、風力発電装置等の台座として使用される緊張係留浮体（ＴＬＰ：テンションレグプラットホーム）の水平面に対する比較的小さな傾斜を簡便かつ容易に調整できる緊張係留浮体の傾斜調整方法及び緊張係留浮体に関する。
【背景技術】
【０００２】
風力発電に関して、海岸の大陸棚に緊張係留浮体を設けて、この浮体を風力発電装置の台座（プラットホーム）とする提案がなされ始めている（例えば、特許文献１、２参照）。
【０００３】
この風力発電装置の台座となる浮体は、複数本のコラムを有し、このコラム毎に取り付けられた１本又は複数本のテンドンと呼ばれる緊張係留索で海底や湖底や川底等の水底に設けられたアンカーに係留されている。
【０００４】
しかしながら、アンカーを設置した水底の部分の不等沈下、アンカーの下部の潮流等による掘削による不等沈下、水底の地震による地殻変動による不等沈下が生じると、これによってアンカーの相対的な深さが変化して、緊張係留索に作用する張力が設置当初と異なってアンバランスとなり、台座が傾斜してしまう。また、季節的な風と潮流の向きや大きさの変化に対応して、台座に長期的な傾斜が生じる場合もある。
【０００５】
この台座が傾斜した場合には、この傾斜を元に戻す必要があるが、従来技術においては、緊張係留索の張力を調整しているため、各緊張係留索毎に張力調整機構が必要となっていた。この緊張係留索の張力調整に際しては、台座上に、風力発電装置や切削装置等の稼動設備がある場合は、張力調整時に大きな傾斜が生じる万一の可能性を考慮して稼動設備を一旦停止する必要が生じるという問題がある。また、張力調整機構がコラムの下端等の水中にある場合には、水中作業が必要となるため、作業性が悪いという問題がある。
【特許文献１】特表２００６−５１０５２４号公報
【特許文献２】特表２００８−５１６１１３号公報
【発明の開示】
【発明が解決しようとする課題】
【０００６】
本発明は、上記の状況を鑑みてなされたものであり、その目的は、風力発電装置等の設備を緊張係留された浮体の台座上に設けた緊張係留浮体において、アンカーの不等沈下による緊張係留索のアンバランスによる台座の傾斜や、季節風や潮流等の変化による長期的な台座の傾斜を容易に復元できる緊張係留浮体の傾斜調整方法及び緊張係留浮体を提供することにある。
【課題を解決するための手段】
【０００７】
上記の目的を達成するための本発明の緊張係留浮体の傾斜調整方法は、一部又は全体が台座となる浮体を複数本の緊張係留索で水底に設置されたアンカーに係留すると共に、前記緊張係留索に張力を作用させて位置固定した緊張係留浮体の傾斜調整方法において、重錘又は浮力体を移動機構により水平方向に関する位置を移動することにより、前記浮体の傾斜を調整することを特徴とする。
【０００８】
この方法によれば、緊張係留索（テンドン）の張力を調整するための緊張係留索の繰り出し及び巻き上げの必要がなく、調整用重錘の移動又は浮力体の移動により、容易に台座（デッキ）の傾斜を調整することができる。この傾斜調整では重錘又は浮力体の移動のみであるので、傾斜調整時に、風力発電装置や井戸切削のプラント等の稼動を停止する必要がなくなる。なお、この傾斜の調整方法は、従来技術の張力調整に比べて小傾斜の調整及復元に適している。また、台座の傾斜は張力計による各緊張係留索の張力の大きさの変化や、傾斜計によるデッキ傾斜のモニタリング機能で検出する。
【０００９】
上記の緊張係留浮体の傾斜調整方法において、前記移動機構が単数又は複数の前記重錘又は前記浮力体を前記浮体の中心に関しての放射方向に移動させて前記浮体の傾斜を調整する。この方法によれば、重錘又は浮力体を放射方向に移動させることにより、傾斜を調整するので、移動機構及び制御が単純化される。この方法は、浮体からコラムを支持する部分が放射状に配置されている場合に適している。
【００１０】
あるいは、上記の緊張係留浮体の傾斜調整方法において、前記移動機構が単数又は複数の前記重錘又は前記浮力体を水平方向に関して交差する２方向に移動させて前記浮体の傾斜を調整する。この方法によれば、交差する２方向、例えば、直交するＸ軸方向と、Ｙ軸方向に移動させる機構及び制御が単純化される。この方法では単数の重錘又は浮力体を平面的に移動させる場合には大きな移動用の面積が必要となるが、複数の重量物又は浮力体をＸ方向に移動する重錘又は浮力体とＹ方向に移動する重錘又は浮力体と別体とすることで、２つの移動軸に関するスペースを確保するだけでよくなる。
【００１１】
あるいは、上記の緊張係留浮体の傾斜調整方法において、前記移動機構が単数又は複数の前記重錘又は前記浮力体を前記浮体の中心を囲む環状の移動経路を移動させて前記浮体の傾斜を調整する。この方法は、浮体の中心（重心又は浮心）の近傍部分に重錘又は浮力体を配置できず、これらの配置場所が周囲になる場合に適している。傾斜の調整量が一定である場合には重錘又は浮力体は単数でもよいが、３個以上であれば、各方向に対する傾斜及び傾斜の大きさに対応できる。
【００１２】
上記の緊張係留浮体の傾斜調整方法において、前記重錘又は前記浮力体の水平方向に関する移動をバラスト水の移動により行う。この移動は、バラストタンク内の注排水によっても行うことができるが、この場合には、各バラストタンク内のバラスト水を注排水するためのラインとポンプが必要になる。一方、各バラストタンク内のバラスト水を移動させるだけであれば、ポンプが一台で済み、また、移動用の配管ラインも単純となり、制御も容易となる。
【００１３】
また、上記の緊張係留浮体の傾斜調整方法において、前記浮体が風力発電装置を搭載する場合には、風力発電装置では、風力の作用点が水面から著しく高くなるので転倒しやすく、傾斜による影響が大きい上に、この傾斜が風力発電の効率にも影響するので、本発明の効果がより大きくなる。
【００１４】
上記の目的を達成するための本発明の緊張係留浮体は、一部又は全体が台座となる浮体を複数本の緊張係留索で水底に設置されたアンカーに係留すると共に、前記緊張係留索に張力を作用させて位置固定した緊張係留浮体において、重量物又は浮力体を水平方向に関する位置を移動することにより前記浮体の傾斜を調整する移動機構を備えて構成される。
【００１５】
上記の緊張係留浮体において、前記移動機構を、単数又は複数の前記重錘又は前記浮力体を前記浮体の中心に関しての放射方向に移動させて前記浮体の傾斜を調整する移動機構で形成する。あるいは、上記の緊張係留浮体において、前記移動機構を、単数又は複数の前記重錘又は前記浮力体を水平方向に関して交差する２方向に移動させて前記浮体の傾斜を調整する移動機構で形成する。
【００１６】
あるいは、上記の緊張係留浮体において、前記移動機構を、単数又は複数の前記重錘又は前記浮力体を前記浮体の中心を囲む環状の移動経路を移動させて前記浮体の傾斜を調整する移動機構で形成する。
【００１７】
あるいは、上記の緊張係留浮体において、前記移動機構を、前記重錘又は前記浮力体の水平方向に関する移動をバラスト水の移動により行う移動機構で形成する。
【００１８】
上記の移動機構の構成によれば、上記の緊張係留浮体の傾斜調整方法と同様の作用効果を奏することができる。
【００１９】
また、上記の緊張係留浮体において、前記浮体が風力発電装置を搭載する場合には、風力発電装置では、風力の作用点が水面から著しく高くなるので転倒しやすく、傾斜による影響が大きい上に、この傾斜が風力発電の効率にも影響するので、本発明の効果がより大きくなる。
【発明の効果】
【００２０】
本発明の緊張係留浮体の傾斜調整方法及び緊張係留浮体によれば、緊張係留索の張力を調整するための緊張係留索の繰り出し及び巻き上げの必要がなくなり、調整用重錘の移動又は浮力体の移動の移動により、容易に台座の傾斜の調整ができるようになる。また、緊張係留索の張力調整は重錘又は浮力体の移動のみであるので、傾斜調整時に風力発電装置やその他のプラント等の稼動を停止する必要がなくなる。
【発明を実施するための最良の形態】
【００２１】
以下、図面を参照して本発明に係る緊張係留浮体の傾斜調整方法及び緊張係留浮体の実施の形態について説明する。ここでは、風力発電装置を台座に搭載した緊張係留浮体を例にして説明するが、本発明はこれに限定されず、風力発電装置以外の井戸切削装置その他のプラントや計測装置等を搭載する緊張係留浮体にも適用できる。
【００２２】
図１及び図２に示すように、本発明に係る第１の実施の形態の緊張係留浮体（テンションリグプラットホーム）１は、風力発電システム１０を搭載した上部構造物１１とこの上部構造物１１を支持するための浮体（フローティング）１２と、この浮体１２を係留するためのテンドンと呼ばれる緊張係留索１３と、この緊張係留索１３を海底や湖底や河底などの水底２に固定するためのアンカー１４とを備えて構成される。
【００２３】
風力発電システム１０は、風車１０ａを支持する回転軸１０ｂとこの回転軸１０ｂを固定する支柱１０ｃと図示しない発電装置や蓄電装置や送電装置等を有して構成される。
【００２４】
浮体１２は、上部構造物１１の重量を浮力で支持して、風車１０ａを水上の予め設定した高さに維持するものであり、図１及び図２では、円柱や多角柱で形成される筒状体（台座：プラットホーム）１２ａとその下側から４方又は三方に水平に放射状に延びる脚部（ポンツーン）１２ｂとからなる。図１では脚部１２ｂが４つの構造を、図２では脚部１２ｂが３つの構造とアンカーが一体化したプレート状のアンカー１４を示す。この筒状体１２ａと脚部１２ｂは中空構造とし、浮力を生じるように構成される。この筒状体１２ａはその上部の一部が水面３の上に突出し、支柱１０ｃを支持している。これらの浮体１２は、鋼やプレストレスコンクリート（ＰＣ）等で形成される。
【００２５】
また、脚部１２ｂの先端側の係留部１２ｃに緊張係留索１３の上端部が固定される。この緊張係留索１３の本数は単数本でも複数本でもよい。この脚部１２ｂの先端側の係留部１２ｃが、筒状体１２ａの中心から離れることにより、筒状体１２ａの傾斜に関するモーメントレバーが大きくなるので、緊張係留索１３による浮体１２と上部構造物１１の傾斜を小さい張力で調整できるようになる。
【００２６】
緊張係留索１３は、鋼製の鎖（チェーン）やケーブル等で形成され、常時張力（テンション）が加わっている状態にして、その下端部をアンカー１４に係留されて設置され、浮体１２と上部構造物１１の浮力に抗して、浮体１２を水中に引き込んでいる。
【００２７】
アンカー１４はコンクリート等で形成される錘であり、水底２に沈められ自重により固定される重力式アンカーが使用される。なお、アンカリングにより水底２の地盤に固定されるアンカーを使用してもよい。このアンカー１４は緊張係留索１３を介して浮体１２を予め設定されて位置に係留するためのものであり、緊張係留索１３の下端部が固定される。
【００２８】
この緊張係留浮体１の大きさは、例えば、発電量が２ＭＷを想定した場合は、大陸棚の水深１００ｍから２００ｍ程度の所に設置される場合には、風車１０ａの回転直径が８０ｍ程度で、風車１０ａの回転軸１０ｂは水面３の上が７５ｍ程度となり、浮体１２の筒状体１２ａの直径は７ｍ程度で高さは４０ｍ程度であり、係留部１２ｃを通る円の直径は６０ｍ程度である。
【００２９】
この緊張係留浮体１の設置は、浮体１２のバラストタンクにバラスト水を注入したり、バラストを積んで、浮体１２を設置状態の時よりも、浮体１２の浮力を小さくして沈めた状態で、予め設定水域に設置されたアンカー１４の上に移動する。移動後、緊張係留索１３の下端をアンカー１４に結合し、上端を浮体１２の脚部１２ｂの係留部１２ｃに結合する。結合後、上部構造物１１とこれを支持する浮体１２の傾斜に注意しながら、バラスト水を排出したり、バラストを取り除いたりして、浮体１２の浮力を予め設定された浮力とし、上部構造物１１の傾斜と各々の緊張係留索１３の張力を、緊張係留索１３の長さを変更して調整する。
【００３０】
この設置では、緊張係留浮体１は波浪中においても上下動揺や回転運動をしないように緊張係留索１３に予め設定した初期張力を付与して係留する。この初期張力は浮力Ｆと重量Ｗの差となるが、想定される海象条件下では緊張係留索１３の張力Ｔ１〜Ｔ４（図２ではＴ１〜Ｔ３）のいずれもゼロになって弛緩することがないように、浮力Ｆと緊張係留索１３の長さを調整して設定される。また、横移動可能な範囲も許容範囲に入るように初期張力は設定される。
【００３１】
そして、本発明では、脚部１２ｂのそれぞれの内部に移動用重錘１５ａと移動用重錘１５ａを脚部１２ｂが延びている放射方向に移動させる移動装置１５ｂからなる傾斜調整装置１５を設ける。この傾斜調整装置１５は、傾斜計（図示しない）によって浮体１２又は上部構造物１１の傾斜角を測定したり、各緊張係留索１３の張力Ｔ１〜Ｔ４を張力計（図示しない）により計測したりして、これらの計測値に基づいて、移動用重錘１５ａを移動して浮体１２上部構造物１１の傾斜を設置当初の状態に戻す。
【００３２】
この傾斜の調整は、波の周期に基づくような短期的な傾斜に対しては行わず、アンカー１４を設置した水底２の部分の不等沈下、アンカー１４の下部の潮流等による砂の流出等による不等沈下、水底２の地震による地殻変動による不等沈下に対応した傾斜や、季節的な風と潮流の向きや大きさの変化に対応した長期的な傾斜に対して行う。このような傾斜は波周期よりも長い期間における傾斜角の平均値や張力の平均値などから容易に検出することができる。
【００３３】
不等沈下等に起因して浮体１２が傾斜した場合には、傾斜して上方に移動した脚部１２ｂの移動用重錘１５ａを先端側に移動し、傾斜して下方に移動した脚部１２ｂの移動用重錘１５ａを筒状体１２ａ側に移動する。これにより、上部構造物１１と浮体１２の傾斜を最初に設置した状態に戻す。なお、緊張係留索１３の長さ調整を行わないので、アンカー１４の不等沈下の影響は浮体１２の位置移動により吸収される。
【００３４】
図１の４つの脚部１２ｂを持つ場合において、脚部１２ｂの方向の傾斜だけを考慮した場合を図３に示す。緊張係留索１３が２本の場合で考えると、浮体１２と上部構造１１の全体の重量をＷ、移動用重錘１５ａの重量をｗとし、浮体１２の浮力をＦとし、移動用重錘１５ａの移動量（オフセット量）をＳｘとし、緊張係留索１３の間隔を２Ｂとすると、緊張係留索１３の張力をＴ１、Ｔ３とし、その差ΔＴは、ΔＴ＝Ｔ１−Ｔ３となる。上下方向の釣り合いは、Ｔ１＋Ｔ３＝Ｆ０−ｗとなる。ここで、余剰浮力Ｆ０はＦ０＝Ｆ−Ｗである。従って、２Ｔ１＝Ｆ０−ｗ＋ΔＴとなり、また、浮体１２が傾斜しないためには、転倒モーメントがゼロとなって釣り合うことにより、ｗ×Ｓｘ＋Ｂ×Ｔ３＝Ｂ×Ｔ１となり、ｗ×Ｓｘ＝Ｂ×（Ｔ１−Ｔ３）＝Ｂ×ΔＴであるから、Ｓｘ＝Ｂ×ΔＴ／ｗとなり、上記のＳｘだけ、移動用重錘１５ａを移動すれば、緊張係留索１３の張力がアンバランスであっても、転倒モーメントの釣り合いが取れることになる。従って、浮体１２は傾斜しない。また、緊張係留索１３の張力Ｔ２、Ｔ４に関しても同様な考え方で浮体１２の傾斜を調整できる。
【００３５】
次に、第２の実施の形態について説明する。図４に示すように、本発明に係る第２の実施の形態の緊張係留浮体１Ａは、第１の実施の形態の緊張係留浮体１とほぼ同様に形成されるが、浮上している四角形状の上部構造体１２Ａａと、一部が水中に一部が空中にあるコラム１２Ａｂと、このコラム１２Ａｂの下側を連結している下部構造体１２Ａｃとからなる浮体１２Ａを有して形成される。この場合には浮体１２Ａの下部構造体１２Ａｃの４つの角部に係留部１２ｃを設けて、緊張係留索１３の上端を係留する。
【００３６】
この緊張係留浮体１Ａの大きさは、例えば、発電量が２ＭＷを想定した場合は、大陸棚の水深１００ｍから２００ｍ程度の所に設置される場合には、風車１０ａの回転直径が８０ｍ程度で、風車１０ａの回転軸１０ｂは水面３の上が７５ｍ程度となり、浮体１２Ａの四角形状は２５ｍ×２５ｍ程度である。
【００３７】
図５に示すように、この第２の実施の形態の緊張係留浮体１Ａでは、浮体１２Ａの上部構造体１２Ａａの内部に移動用重錘１５ａと移動用重錘１５ａを水平方向に関して交差するＸ方向とＹ方向の双方に移動させる移動機構１５Ａを設ける。緊張係留索１３が４本の場合には、浮体重量をＷ、移動用重錘１５ａの重量をｗとし、浮力をＦとし、移動用重錘１５ａの移動量（オフセット量）をＳｘ、Ｓｙとし、緊張係留索１３の間隔を２Ｂとすると、緊張係留索１３の張力をＴ１、Ｔ２、Ｔ３、Ｔ４とし、水平面を互いに直交するＸ軸とＹ軸で表現し、緊張係留索１３をＸ軸とＹ軸のそれぞれに対称に配置した場合について説明する。
【００３８】
Ｙ軸回りの張力バランスで、Ｙ軸に関して張力の差をΔＴｙとした場合に、ΔＴｙは、ΔＴｙ＝（Ｔ１＋Ｔ２）−（Ｔ３＋Ｔ４）となる。上下方向の釣り合いは、Ｆ０を余剰浮力とすると、Ｆ０＝Ｆ−Ｗで、２（Ｔ１＋Ｔ２）＝Ｆ０−ｗ−ΔＴｙとなる。また、Ｙ軸回りのモーメントの釣り合いにより、ｗ×Ｓｘ＋Ｂ×（Ｔ３＋Ｔ４）＝Ｂ×（Ｔ１＋Ｔ２）となる。従って、Ｓｘ＝Ｂ×ΔＴｙ／ｗとなる。このＳｘ分だけ、移動用重錘１５ａをＸ方向に移動すれば、浮体１２Ａは傾斜しないことになる。
【００３９】
また、Ｘ軸回りの張力バランスで、Ｘ軸に関して張力の差をΔＴｘとした場合に、ΔＴｘは、ΔＴｘ＝（Ｔ１＋Ｔ４）−（Ｔ２＋Ｔ３）となる。上下方向の釣り合いは、２（Ｔ１＋Ｔ４）＝Ｆ０−ｗ−ΔＴｘとなる。また、Ｘ軸回りのモーメントの釣り合いにより、ｗ×Ｓｙ＋Ｂ×（Ｔ１＋Ｔ４）＝Ｂ×（Ｔ２＋Ｔ３）となる。従って、Ｓｙ＝Ｂ×ΔＴｘ／ｗとなる。このＳｙ分だけ、移動用重錘１５ａを移動すれば、浮体１２Ａは傾斜しないことになる。
【００４０】
この方法によれば、直交するＸ軸方向と、Ｙ軸方向に移動させる機構及び制御が単純化される。この方法では単数の移動用重錘１５ａを平面的に移動させる場合には大きな移動用の面積が必要となるが、移動用重錘１５ａを分割して、Ｘ方向に移動する移動用重錘１５ａとＹ方向に移動する移動用重錘１５ａと別体とすることで、２つの移動軸に関するスペースを確保するだけでよくなる。
【００４１】
この傾斜調整装置１５Ａは、傾斜計（図示しない）によって浮体１２Ａ又は上部構造物１１の傾斜角を測定したり、各緊張係留索１３の張力Ｔ１〜Ｔ４を張力計（図示しない）により計測したりして、これらの計測値に基づいて、移動用重錘１５ａを移動して浮体１２Ａと上部構造物１１の傾斜を設置当初の状態に戻す。
【００４２】
次に、第３の実施の形態について説明する。この本発明に係る第３の実施の形態の緊張係留浮体は、第１の実施の形態の緊張係留浮体１又は第２の実施の形態の緊張係留浮体１Ａとほぼ同様に形成されるが、移動用重錘の移動機構は、単数又は複数の移動用重錘を浮体１２又は浮体１２Ａの中心を囲む環状のレール（移動経路）を移動させて浮体の傾斜を調整する移動機構で形成する。
【００４３】
３個の移動用重錘を用いて、第１の移動用重錘を上に傾斜した方向に移動し、第２と第３の移動用重錘２個を第1の移動用重錘と環状のレールの中心とを結ぶ第１直線に対して対称に配置しつつ、第１直線と直交して環状のレールの中心を通る直線に対して、傾斜モーメントがゼロになるように、第２と第３の移動用重錘２個を移動する。これにより、浮体１２又は浮体１２Ａの傾斜を設置当初の状態に戻すことができる。
【００４４】
次に、第４の実施の形態について説明する。この本発明に係る第４の実施の形態の緊張係留浮体は、第１の実施の形態の緊張係留浮体１又は第２の実施の形態の緊張係留浮体１Ａとほぼ同様に形成されるが、移動用重錘の移動機構は、移動用重錘の水平方向に関する移動をバラスト水の移動により行う。
【００４５】
この構成によれば、バラスト水用タンクとバラスト水の移動用の配管とポンプという比較的簡単な構造となり、移動も開閉弁の開閉とポンプの作動によって比較的容易にできるようになる。特に、水底に設置する際にバラスト水を用いる場合には、これらの設置用のバラストタンクを傾斜調整用のタンクとして使用できる。また、バラスト水の移動であるので、移動元は軽くなり移動先は重くなる。そのため、バラストタンクの位置によっては、固体の移動用重錘の移動に比べて効率よく転倒モーメントに対抗するモーメントを発生することができる。
【００４６】
また、上記の説明では、移動用重錘で説明したが、移動用重錘の替わりに移動用浮力体を用いても同様に浮体１２、１２Ａの傾斜を設置当初の状態に戻すことができる。
【００４７】
上記の第１〜第４の実施の形態の緊張係留浮体の傾斜調整方法及び緊張係留浮体１、１Ａによれば、緊張係留索１３の張力を調整するための緊張係留索１３の繰り出し及び巻き上げの必要がなくなり、移動用重錘１５ａの移動又は浮力体の移動の移動により、容易に台座となる浮体１２又は浮体１２Ａの傾斜の調整ができるようになる。また、緊張係留索１３の張力調整は移動用重錘１５ａ又は移動用浮力体の移動のみであるので、傾斜調整時に風力発電装置やその他のプラント等の稼動を停止する必要がなくなる。
【図面の簡単な説明】
【００４８】
【図１】本発明の第１の実施の形態における緊張係留浮体の構成を示す図である。
【図２】本発明の第１の実施の形態における緊張係留浮体の他の構成を示す図である。
【図３】第１の実施の形態における緊張係留浮体の移動用重錘の移動と傾斜の関係を説明するための図である。
【図４】本発明の第２の実施の形態における緊張係留浮体の構成を示す図である。
【図５】第２の実施の形態における緊張係留浮体の移動用重錘の移動と傾斜の関係を説明するための図である。
【符号の説明】
【００４９】
１、１Ａ  緊張係留浮体
２  水底
３  水面
１０  風力発電システム
１０ａ  風車
１０ｂ  回転軸
１０ｃ  支柱
１１  上部構造物
１２、１２Ａ  浮体
１２ａ  筒状体
１２ｂ  脚部
１２ｃ  係留部
１２Ａａ  上部構造体
１２Ａｂ  コラム
１２Ａｃ  下部構造体
１３  緊張係留索
１４  アンカー
１５  傾斜調整装置
１５ａ  移動用重錘
１５ｂ  移動装置（移動機構）
Ｂ  緊張係留索の間隔の半分
Ｆ  浮力
Ｆ０  余剰浮力
Ｓｘ、Ｓｙ  移動用重錘の移動量
Ｔ１〜Ｔ４  緊張係留索の張力
Ｗ  重量
ｗ  移動用重錘の重量
【図１】
2010018129.tif 000003
【図２】
2010018129.tif 000004
【図３】
2010018129.tif 000005
【図４】
2010018129.tif 000006
【図５】
2010018129.tif 000007